【手続補正書】
【提出日】平成15年10月29日(2003.10.29)
【手続補正１】
【補正対象書類名】明細書
【補正対象項目名】全文
【補正方法】変更
【補正の内容】
【発明の名称】パチンコ機の内枠ヒンジ金具
【特許請求の範囲】
【請求項１】外枠に対して開閉可能に設けられ、かつ遊技盤および各種構成機構を装着配置した内枠と、該内枠に対し遊技盤の前面側を開閉可能に設けられるガラス枠を備えたパチンコ機において、
前記内枠に取付けられる内枠ヒンジ金具には前記外枠に取付けられる外枠ヒンジメールに対する外枠ヒンジヒメール部と、前記ガラス枠に取付けられるガラス枠ヒンジピンに対するガラス枠ヒンジヒメール部とを一体に形成し、
しかも、前記内枠ヒンジ金具は、前記内枠の上面に段差状に形成された上段の取付段部と下段の挿通段部とのうち、前記上段の取付段部に取付けられかつ前記挿通段部との間に前記外枠ヒンジヒメールを挿入可能に隙間をもって前記挿通段部に延出形成された上部取付片と、
前記上部取付片の挿通段部側の前縁に設けられかつ前記ガラス枠側に延出するとともに、前記外枠ヒンジヒメールのヒンジ孔の上方から同ヒンジ孔に挿通嵌合するヒンジピンを下向きに有する外枠ヒンジメール部と、
前記上部取付片の後縁に設けられかつ前記内枠の背面に沿う背面取付片と、
前記背面取付片の下端部に設けられるとともに前記内枠に貫設した挿通孔に挿通されて前記ガラス枠側に延出されかつ同ガラス枠に取付けられるガラス枠ヒンジピンを挿通嵌合するヒンジ孔を有するガラス枠ヒンジヒメール部と、を一体に有して構成されていることを特徴とするパチンコ機の内枠ヒンジ金具。
【請求項２】  外枠に対して開閉可能に設けられ、かつ遊技盤および各種構成機構を装着配置した内枠と、該内枠に対し遊技盤の前面側を開閉可能に設けられるガラス枠を備えたパチンコ機において、
前記内枠に取付けられる内枠ヒンジ金具には前記外枠に取付けられる外枠ヒンジメールに対する外枠ヒンジヒメール部と、前記ガラス枠に取付けられるガラス枠ヒンジピンに対するガラス枠ヒンジヒメール部とを一体に形成し、
しかも、前記内枠ヒンジ金具は、前記内枠の上面に段差状に形成された上段の取付段部と下段の挿通段部とのうち、前記上段の取付段部に取付けられかつ前記挿通段部との間に前記外枠ヒンジヒメールを挿入可能に隙間をもって前記挿通段部に延出形成された上部取付片と、
前記上部取付片の挿通段部側の前縁に設けられかつ前記ガラス枠側に延出するとともに、前記外枠ヒンジヒメールのヒンジ孔の上方から同ヒンジ孔に挿通嵌合するヒンジピンを下向きに有する外枠ヒンジメール部と、
前記上部取付片の後縁に設けられかつ前記内枠の前面に沿う前面取付片と、
前記前面取付片の下端部に設けられるとともに前記ガラス枠側に延出されかつ同ガラス枠に取付けられるガラス枠ヒンジピンを挿通嵌合するヒンジ孔を有するガラス枠ヒンジヒメール部と、を一体に有して構成されていることを特徴とするパチンコ機の内枠ヒンジ金具。
【発明の詳細な説明】
【０００１】
【発明の属する技術分野】
この発明は、パチンコ機の外枠に片開き状に開閉可能に設けられる内枠に取付ける内枠ヒンジ金具に関する。
【０００２】
【従来の技術】
従来、パチンコ機５０の枠体構造は、図５に示すように略方形状に枠組み形成された外枠５１と、この外枠５１の一側の上下に対をなすヒンジ部材５２を介して遊技盤および各種構成機構を装着配設した内枠５３が外枠５１の前面を開閉可能に取付けられ、さらに、この内枠５３の前面側には遊技盤の前面側を覆うガラス枠５４が内枠５３の一側に対し、上下に対をなすヒンジ部材５５を介して片開き状に開閉可能に取付けられ、また、このガラス枠５４の下部側には上皿５７を有する前枠５６が内枠５３の一側に対し上下に対をなすヒンジ部材を介して片開き状に開閉可能に取付けられていた。
【０００３】
【発明が解決しようとする課題】
しかしながら、この従来の構成のものでは、外枠５１に対し各内枠５３、ガラス枠５４および前枠５６を組付けるに際し、取付け相互に対をなすヒンジ部材（ヒンジメールとヒンジヒメール）をビス着等して組付けるため、組付け工数を多く必要とし、コスト高となる問題があり、また、各枠の組付け精度にも問題を生じた。
本発明は、上記従来の問題点を解決することを技術課題とする。
【０００４】
【課題を解決するための手段】
本発明は、上記技術課題を解決するため、
第１の発明は、外枠に対して開閉可能に設けられ、かつ遊技盤および各種構成機構を装着配置した内枠と、該内枠に対し遊技盤の前面側を開閉可能に設けられるガラス枠を備えたパチンコ機において、
前記内枠に取付けられる内枠ヒンジ金具には前記外枠に取付けられる外枠ヒンジメールに対する外枠ヒンジヒメール部と、前記ガラス枠に取付けられるガラス枠ヒンジピンに対するガラス枠ヒンジヒメール部とを一体に形成し、
しかも、前記内枠ヒンジ金具は、前記内枠の上面に段差状に形成された上段の取付段部と下段の挿通段部とのうち、前記上段の取付段部に取付けられかつ前記挿通段部との間に前記外枠ヒンジヒメールを挿入可能に隙間をもって前記挿通段部に延出形成された上部取付片と、
前記上部取付片の挿通段部側の前縁に設けられかつ前記ガラス枠側に延出するとともに、前記外枠ヒンジヒメールのヒンジ孔の上方から同ヒンジ孔に挿通嵌合するヒンジピンを下向きに有する外枠ヒンジメール部と、
前記上部取付片の後縁に設けられかつ前記内枠の背面に沿う背面取付片と、
前記背面取付片の下端部に設けられるとともに前記内枠に貫設した挿通孔に挿通されて前記ガラス枠側に延出されかつ同ガラス枠に取付けられるガラス枠ヒンジピンを挿通嵌合するヒンジ孔を有するガラス枠ヒンジヒメール部と、を一体に有して構成されていることを特徴とする。
また、第２の発明は、外枠に対して開閉可能に設けられ、かつ遊技盤および各種構成機構を装着配置した内枠と、該内枠に対し遊技盤の前面側を開閉可能に設けられるガラス枠を備えたパチンコ機において、
前記内枠に取付けられる内枠ヒンジ金具には前記外枠に取付けられる外枠ヒンジメールに対する外枠ヒンジヒメール部と、前記ガラス枠に取付けられるガラス枠ヒンジピンに対するガラス枠ヒンジヒメール部とを一体に形成し、
しかも、前記内枠ヒンジ金具は、前記内枠の上面に段差状に形成された上段の取付段部と下段の挿通段部とのうち、前記上段の取付段部に取付けられかつ前記挿通段部との間に前記外枠ヒンジヒメールを挿入可能に隙間をもって前記挿通段部に延出形成された上部取付片と、
前記上部取付片の挿通段部側の前縁に設けられかつ前記ガラス枠側に延出するとともに、前記外枠ヒンジヒメールのヒンジ孔の上方から同ヒンジ孔に挿通嵌合するヒンジピンを下向きに有する外枠ヒンジメール部と、
前記上部取付片の後縁に設けられかつ前記内枠の前面に沿う前面取付片と、
前記前面取付片の下端部に設けられるとともに前記ガラス枠側に延出されかつ同ガラス枠に取付けられるガラス枠ヒンジピンを挿通嵌合するヒンジ孔を有するガラス枠ヒンジヒメール部と、を一体に有して構成されていることを特徴とする。
【０００５】
【発明の効果】
本発明は、内枠に取付けられる内枠ヒンジ金具には外枠ヒンジメール部とガラス枠ヒンジヒメール部を一体に形成して取付ける構成としたものであるから、２部材を取付けるより取付工程が省略されて工数を低減できてコストダウンを図ることができ、一体構成であるから外枠に対する内枠およびガラス枠の取付けが統一されて取付精度を高めることができる。
【０００６】
【第１の実施形態】
次に、本発明の第１の実施形態を図面にしたがって説明すると、図１はパチンコ機の枠体を構成する外枠１、内枠１０、ガラス枠２５に分解した開閉中心上部側を示す分解斜視図、図２は図１におけるガラス枠２５の裏面側の斜視図であって、このパチンコ機の枠体構成は外枠１と内枠１０およびガラス枠２５とよりなり、この外枠１は木製のものであって、上枠２と左右の縦枠３と下枠（図示せず）とより略方形状に枠組み形成され、この上枠２の内枠１０の取付け側の端部には切欠き凹部４が凹設されている。また、この上枠２と縦枠３との組付けコーナー部の外側面には外枠ヒンジヒメール５を同一面に取付ける取付凹部２ａ，３ａが形成されている。
【０００７】
この外枠ヒンジヒメール５は、例えば鋼板部材を折曲形成してなるもので、縦枠３側に取付けられる側部取付部６と上枠２側に取付けられる上部取付部７とが略Ｌ形状に形成され、この上部取付部７の幅は図示のように上枠２の切欠凹部４を除いた幅に形成され、この切欠き凹部４側の縁部のコーナー部寄りには所定の寸法下方へ段差して所定の長さで延出する支持片８が形成され、同支持片８の先端よりには所定の径のヒンジ孔９が貫設されている。
【０００８】
内枠１０は例えば木製あるいは合成樹脂材等よりなるもので、上枠部１１と左右の縦枠部１２と下枠部（図示せず）とにより外枠１の前面側をほぼ覆う略方形状の枠体状に形成され、この上枠部１１の外枠１への取付け側端部の上面には、図示のように内枠ヒンジ金具１８を取付ける取付段部１３と外枠ヒンジヒメール５の支持片８を挿通する挿通段部１４とが段差状に形成されている。また、この挿通段部１４より下方の所定の位置には内枠ヒンジ金具１８のガラス枠ヒンジヒメール部２１を挿通可能な長孔状の挿通孔１５が貫設されている。
【０００９】
この内枠１０に取付けられる内枠ヒンジ金具１８は鋼板部材を折曲形成してなるもので、この内枠ヒンジ金具１８には外枠ヒンジメール部２３とガラス枠ヒンジヒメール部２１とが一体に形成されている。図１および図３に示すようにこの内枠ヒンジ金具１８の取付段部１３に取付けられる上部取付片１９は挿通段部１４の上部まで延出する短冊形状に形成され、この上部取付片１９の外枠１側の後縁には、所定の幅で内枠１０の裏面側に沿う所定の長さで垂下される取付孔２０ａを有する背面取付片２０が形成され、この背面取付片２０の下縁側の所定の位置（図示左寄り）には内枠１０に貫設した挿通孔１５に挿通される所定長さのガラス枠ヒンジヒメール部２１がほぼ直角状に形成されて、同先端側の所定の位置にはヒンジ孔２２が貫設されている。また、上部取付片１９の前縁側の挿通段部１４の延出端にはガラス枠２５側に所定の長さで延出する外枠ヒンジメール部２３が形成され、先端側下面には外枠ヒンジヒメール５のヒンジ孔９と回動可能に嵌合する所定長さのヒンジピン２４が設けられている。
【００１０】
このように形成された内枠ヒンジ金具１８を内枠１０の背面側よりそのガラス枠ヒンジヒメール部２１を挿通して背面取付片２０を背面に沿わせて取付孔２０よりビス着あるいは内枠１０の前面側に当て板４５が当接されてカシメピン４４によりカシメ固定されるとともに、取付段部１３に上部取付片１９を取付けるとこの上部取付片１９と挿通段部１４との間には外側ヒンジヒメール５の支持片８を挿通可能とする隙間ｔが形成されている。なお、下枠部側にも内枠ヒンジ金具１８が取付けられている。このように内枠ヒンジ金具１８を取付けた内枠１０は外枠１に対しほぼ直角状にして外側ヒンジヒメール５のヒンジ孔９の上方より外枠ヒンジメール部２３のヒンジピン２４を挿入することで回動可能に取付けられるとともに、回動して外枠１の前面を閉止すると外側ヒンジヒメール５の支持片８は上部取付片１９と挿通段部１４との隙間ｔに挿入されている。
【００１１】
また、ガラス枠２５は合成樹脂材からなるもので、図１、図２に示すように内枠１０に取付けられる遊技盤の前面を覆う略方形状に形成され、中央部には所定の径の窓部２６が形成され、同背面側に取付けられた金属性の補強板２７に設けられたガラス支持レールにガラスを固定するように設けられている。このガラス枠２５の四周には縁部２５ａが形成されるとともに、内枠１０への取付端部側の上下には外枠ヒンジの逃し凹部２８ａが凹設され、また、この逃し凹部２８ａの下部の縦縁にはガラス枠ヒンジヒメール部２１を逃す切欠き２８ｂが形成されている。また、補強板２７の上下の所定位置には支持片２９が形成され、この支持片２９の先端にはカーリングが施されてガラス枠ヒンジピン３１を挿通ガイドする支持管３０が形成されている。このガラス枠ヒンジピン３１は図示のように長杆３２と短杆３３とが略Ｌ形状に折曲形成されて長杆３２が支持管３０に挿通されるとともに、支持片２９の上縁側と短杆との間にはコイルスプリング３４が掛け止めされている。このようにガラス枠ヒンジピン３１を弾着したガラス枠２５はこのガラス枠ヒンジピン３１の長杆３２を内枠ヒンジ金具１８のガラス枠ヒンジヒメール部２１のヒンジ孔２２に挿通することで回動可能に取付けられる。
【００１２】
上記したように、内枠１０に取付けられる内枠ヒンジ金具１８には外枠ヒンジメール部２３とガラス枠ヒンジヒメール部２１を一体に形成して取付ける構成としたものであるから、２部材を取付けるより取付工程が省略されて工数を低減できてコストダウンを図ることができ、一体構成であるから外枠１に対する内枠１０およびガラス枠２５の取付けが統一されて取付精度を高めることができる。
【００１３】
【第２の実施形態】
この第２の実施形態は上記した第１実施形態の内枠ヒンジ金具１８の別態様であって、図４に示すようにこの内枠ヒンジ金具３５は、第１実施形態と同様に内枠１０の上枠部１１に形成した取付段部１３の部位に取付けられるもので、同取付段部１３に取付けられて挿通段部１４側に延出する短冊形状の上部取付片３６の外枠１側の後縁には、所定の幅で内枠１０の裏面側に沿う所定の長さで垂下される背面取付片３７が形成されている。また、上部取付片３６の前縁側の挿通段部１４の延出端にはガラス枠２５側に所定の長さで延出する外枠ヒンジメール部３８が形成され、先端側下面には外枠ヒンジヒメール５のヒンジ孔９と回動可能に嵌合する所定長さのヒンジピン３９が設けられている。また、この上部取付片３６の取付段部１３の部位の前縁には所定の幅で内枠１０の前面に沿って所定の長さで垂下する前面取付片４０が形成されるとともに、この前面取付片４０の下端には所定の長さでガラス枠２５側に水平状に延出するガラス枠ヒンジヒメール部４１が形成され、同ガラス枠ヒンジヒメール部４１の所定の位置にはガラス枠２５に取付けたガラス枠ヒンジピン３１を回動可能に挿通するヒンジ孔４２が貫設されている。また、背面取付片３７と前面取付片４０には対応して所定の間隔でカシメピン４４の取付孔４３が貫設されている。
【００１４】
このように形成された内枠ヒンジ金具３５は内枠１０に形成した取付段部１３の上方から背面取付片３７と前面取付片４０により挾着状に取付けられ、この両取付片３７，４０は内枠１０にカシメピン４４を介してカシメ固定されている。このように内枠ヒンジ金具３５を取付けた内枠１０は第１実施形態と同様に外枠１に直角状にして外枠ヒンジヒメール５のヒンジ孔９の上方より外枠ヒンジメール部３８のヒンジピン３９を嵌合挿入することで内枠１０は回動可能に取付けられ、また、ガラス枠ヒンジヒメール部４１のヒンジ孔４２にはガラス枠２５に取付けたガラス枠ヒンジピ３１が回動可能に嵌合挿入されてガラス枠２５が取付けられる。したがって、この内枠ヒンジ金具３５では第１実施形態の内枠ヒンジ金具１８のように内枠１０側にガラス枠ヒンジヒメール部２１を挿通する挿通孔１５を貫設する必要がないので内枠１０が脆弱化することのない利点があり、上記第１実施形態とほぼ同等の作用効果を奏するものである。
【図面の簡単な説明】
【図１】パチンコ機の枠体を構成する外枠、内枠、ガラス枠に分解した開閉中心上部側を示す分解斜視図である。
【図２】ガラス枠の裏面側の斜視図である。
【図３】第２実施形態の内枠ヒンジ金具の斜視図である。
【図４】第２実施形態の内枠ヒンジ金具の斜視図である。
【図５】内枠、ガラス枠および前枠を開放した状態の斜視図である。
【符号の説明】
１  外枠
５  外枠ヒンジヒメール
９  ヒンジ孔
１０  内枠
１３  取付段部
１４  挿通段部
１８，３５  内枠ヒンジ金具
１９，３６  上部取付片
２０，３７  背面取付片
２１，４１  ガラス枠ヒンジヒメール部
２２，４２  ヒンジ孔
２３，３８  外枠ヒンジメール部
２４，３９  ヒンジピン
２５  ガラス枠
３１  ガラス枠ヒンジピン
４０  前面取付片
ｔ  隙間